(57)【要約】【課題】タンポンを膣へ挿入するときの不快感を解消することができる生理用タンポン。【解決手段】生理用タンポン１が外筒２と、内筒３と、取り出し紐５１を有するタンポン５とを含み、外筒２の第１端部７と、第１後端部７から延出する内筒３の第２後端部とが案内部材４の円筒状部４１に挿入されて、外筒２が円筒状部４１の長さ方向へ摺動する。円筒状部４１は、その第３前端部４２に、外筒２を挿入するための前部開口４８とストッパー用フランジ４３とが形成される。円筒状部４１の第３後端部４４には、内筒３の第２後端部が当接する端壁４６が形成される。円筒状部４１にはまた、少なくとも一条の切り欠き部４７が形成され、外筒２に形成された指掛け用突起部１１が切り欠き部４７を通って円筒状部４１の外にまで延びる。【選択図】図１
2008178531.tif 000002
【特許請求の範囲】
【請求項１】
外筒と内筒とタンポンとを含み、前記外筒が互いに反対端部を成す第１前端部と第１後端部とを有し、前記タンポンが前記第１前端部の内側に前記第１前端部から外側へ押出可能に収納されていて互いに反対端部を成す前端部分と後端部分とを有しており、前記内筒が互いに反対端部を成す第２前端部と第２後端部とを有していて前記第２前端部が前記外筒の前記第１後端部から前記第１前端部へ向かう方向において前記タンポンの後端部分に接触し得るように前記外筒にその長さ方向へ摺動可能に挿入される一方、前記第２後端部が前記外筒の前記第１後端部から後方へ延出しており、前記タンポンの前記後端部分からは取り出し紐が前記内筒の前記第２後端部に向かって延びている生理用タンポンであって、
前記外筒の前記第１後端部と前記第１後端部から延出している前記内筒の前記第２後端部とが前記外筒の外径よりも大きな内径の円筒状部を有する案内部材の前記円筒状部に挿入されていて前記外筒が前記円筒状部の長さ方向へ摺動可能であり、
前記案内部材では、前記円筒状部が前記外筒の長さ方向へ延びていて互いに反対端部を成す第３前端部と第３後端部とを有しており、前記第３前端部に前記外筒の前記第１後端部が挿入される前部開口と前記円筒状部の径方向外側に向かって広がるストッパー用フランジとが形成され、前記第３後端部は前記内面が前記第３後端部から前記円筒状部の外へ出ることを阻止できるように前記内筒の前記第２後端部に当接する端壁を有し、前記円筒状部には前記円筒状部を貫通するとともに前記第３前端部と前記第３後端部との間において前記円筒状部の長さ方向へ延びる少なくとも一条の切り欠き部が形成されていて、前記切り欠き部では、前記外筒の前記第１後端部に形成されていて前記外筒の径方向外側へ延びる指掛け用突起部が前記円筒状部の外にまで延びていることを特徴とする前記生理用タンポン。
【請求項２】
前記案内部材の前記第３後端部における前記端壁には、前記取り出し紐が前記案内部材の外にまで延びることを可能にする後部開口が形成されている請求項１記載の生理用タンポン。
【請求項３】
前記案内部材の前記第３後端部における前記端壁と前記内筒の前記第２後端部とは、互いに離脱可能に当接する請求項１または２記載の生理用タンポン。
【請求項４】
前記案内部材の前記第３後端部における前記端壁と前記内筒の前記第２後端部とは互いに離脱不能に接合されることによって当接している請求項１または２記載の生理用タンポン。
【請求項５】
前記案内部材の前記円筒状部には、前記円筒状部の径方向において対向する二条の前記切り欠き部が形成され、それぞれの切り欠き部から前記指掛け用突起部が前記内筒状部の外にまで延びている請求項１〜４のいずれかに記載の生理用タンポン。
【請求項６】
前記外筒と前記内筒と前記タンポンとが一体の中間組立体を形成する一方、前記案内部材が前記中間組立体から分離しており、前記案内部材は、前記円筒状部が前記第３前端部よりも後方において前記円筒状部の径方向で互いに対向する第１円筒状部と第２円筒状部とに二分されているとともに、前記端壁を含む前記後端部も前記第１円筒状部と一体を成す部分と前記第２円筒状部と一体を成す部分とに二分されていて、前記第１円筒状部と前記第２円筒状部とを前記案内部材の前記第３前端部を基端にして前記案内部材の径方向において離間させると、前記外筒の前記第１前端部を前記案内部材の前記第３前端部に向けて前記中間組立体をこれら第１円筒状部と第２円筒状部との間へ挿入することが可能になり、その挿入後に前記第１円筒状部と前記第２円筒状部とを接近させて一体化することにより使用するものである請求項１，２，３，５のいずれかに記載の生理用タンポン。
【請求項７】
前記第１円筒状部と前記第２円筒状部とは、前記切り欠き部を境界にして前記案内部材の径方向において離間させることができる請求項６記載の生理用タンポン。
【請求項８】
前記外筒が直状のものであり、前記案内部材における前記ストッパー用フランジと前記端壁の外面とが互いに平行でかつ前記外筒と斜めに交差する角度で形成されている請求項１〜７のいずれかに記載の生理用タンポン。
【請求項９】
前記外筒がその長さ方向において湾曲したものである請求項１〜７のいずれかに記載の生理用タンポン。
【発明の詳細な説明】
【技術分野】
【０００１】
この発明は、膣へのタンポンの挿入を容易にするためのアプリケータを含む生理用タンポンに関する。
【背景技術】
【０００２】
従来、膣へのタンポンの挿入が容易となるように、タンポンとアプリケータとを一体にした生理用タンポンは周知ないし公知である。例えば、特許第３２１７６１７号公報（特許文献１）に記載の生理用タンポンは、アプリケータが外筒と内筒とによって形成されており、引き出し紐を有するタンポンが外筒の内部に収納されている。その外筒の外周面にはフランジ状のストッパーが形成されている。この生理用タンポンを使用するには、ストッパーが外陰部に当接するところまで外筒を膣へ挿入する。しかる後に、内筒を膣内に向かって押して、タンポンを外筒の先端から進出させ、膣内の奥へと向かわせる。
【特許文献１】特許第３２１７６１７号公報
【発明の開示】
【発明が解決しようとする課題】
【０００３】
前記公知の生理用タンポンでは、外筒から進出したタンポンが膣壁に接触しながら奥へ進むときに膣壁の水分を吸い取るので、タンポンと膣壁との間の摩擦が大きくなってタンポン使用者に不快感を与えるということがある。また、ストッパーが外陰部に当接するところまで外筒を膣内へ挿入していても、内筒を押し出す際にはタンポンと膣壁との間の摩擦に対する反作用として外筒が膣外へ押し出され、タンポンの挿入深さが浅くなり膣口周辺の膣括約筋に当たって使用者に不快感を与えるということもある。
【０００４】
そこで、この発明では、生理用タンポン使用時におけるこのような不快感を解消することのできる新規な生理用タンポンの提供を課題にしている。
【課題を解決するための手段】
【０００５】
前記課題を解決するために、この発明が対象とするのは、外筒と内筒とタンポンとを含み、前記外筒が互いに反対端部を成す第１前端部と第１後端部とを有し、前記タンポンが前記第１前端部の内側に前記第１前端部から外側へ押出可能に収納されていて互いに反対端部を成す前端部分と後端部分とを有しており、前記内筒が互いに反対端部を成す第２前端部と第２後端部とを有していて前記第２前端部が前記外筒の前記第１後端部から前記第１前端部へ向かう方向において前記タンポンの後端部分に接触し得るように前記外筒にその長さ方向へ摺動可能に挿入される一方、前記第２後端部が前記外筒の前記第１後端部から後方へ延出しており、前記タンポンの前記後端部分からは取り出し紐が前記内筒の前記第２後端部に向かって延びている生理用タンポンである。
【０００６】
かかる生理用タンポンにおいて、前記外筒の前記第１後端部と前記第１後端部から延出している前記内筒の前記第２後端部とが前記外筒の外径よりも大きな内径の円筒状部を有する案内部材の前記円筒状部に挿入されていて前記外筒が前記円筒状部の長さ方向へ摺動可能である。前記案内部材では、前記円筒状部が前記外筒の長さ方向へ延びていて互いに反対端部を成す第３前端部と第３後端部とを有しており、前記第３前端部に前記外筒の前記第１後端部が挿入される前部開口と前記円筒状部の径方向外側に向かって広がるストッパー用フランジとが形成され、前記第３後端部は前記内面が前記第３後端部から前記円筒状部の外へ出ることを阻止できるように前記内筒の前記第２後端部に当接する端壁を有し、前記円筒状部には前記円筒状部を貫通するとともに前記第３前端部と前記第３後端部との間において前記円筒状部の長さ方向へ延びる少なくとも一条の切り欠き部が形成されていて、前記切り欠き部では、前記外筒の前記第１後端部に形成されていて前記外筒の径方向外側へ延びる指掛け用突起部が前記円筒状部の外にまで延びている。
【０００７】
この発明の好ましい実施態様の一つにおいて、前記案内部材の前記第３後端部における前記端壁には、前記取り出し紐が前記案内部材の外にまで延びることを可能にする後部開口が形成されている。
【０００８】
この発明の好ましい実施態様の他の一つにおいて、前記案内部材の前記第３後端部における前記端壁と前記内筒の前記第２後端部とは、互いに離脱可能に当接する。
【０００９】
この発明の好ましい実施態様の他の一つにおいて、前記案内部材の前記第３後端部における前記端壁と前記内筒の前記第２後端部とは互いに離脱不能に接合されることによって当接している。
【００１０】
この発明の好ましい実施態様の他の一つにおいて、前記案内部材の前記内筒状部には、前記円筒状部の径方向において対向する二条の前記切り欠き部が形成され、それぞれの切り欠き部から前記指掛け用突起部が前記内筒状部の外にまで延びている。
【００１１】
この発明の好ましい実施態様の他の一つにおいて、前記外筒と前記内筒と前記タンポンとが一体の中間組立体を形成する一方、前記案内部材が前記中間組立体から分離しており、前記案内部材は、前記円筒状部が前記第３前端部よりも後方において前記円筒状部の径方向で互いに対向する第１円筒状部と第２円筒状部とに二分されているとともに、前記端壁を含む前記後端部も前記第１円筒状部と一体を成す部分と前記第２円筒状部と一体を成す部分とに二分されていて、前記第１円筒状部と前記第２円筒状部とを前記案内部材の前記第３前端部を基端にして前記案内部材の径方向において離間させると、前記外筒の前記第１前端部を前記案内部材の前記第３前端部に向けて前記中間組立体をこれら第１円筒状部と第２円筒状部との間へ挿入することが可能になり、その挿入後に前記第１円筒状部と前記第２円筒状部とを接近させて一体化することにより使用するものである。
【００１２】
この発明の好ましい実施態様の他の一つにおいて、前記第１円筒状部と前記第２円筒状部とは、前記切り欠き部を境界にして前記案内部材の径方向において離間させることができる。
【００１３】
この発明の好ましい実施態様の他の一つにおいて、前記外筒が直状のものであり、前記案内部材における前記ストッパー用フランジと前記端壁の外面とが互いに平行でかつ前記外筒と斜めに交差する角度で形成されている。
【００１４】
この発明の好ましい実施態様のさらに他の一つにおいて、前記外筒がその長さ方向において湾曲したものである。
【発明の効果】
【００１５】
この発明に係る生理用タンポンは、案内部材の端壁に指を当ててストッパー用フランジが外陰部に当接するところまで外筒を膣へ挿入したならば、外筒の第１後端部に形成されている指掛け用突起部に別の指を当てて、その突起部を案内部材の第３後端部に向かって移動させる。そのときの膣内では、タンポンが静止状態にある一方、外筒が膣外へ向かって移動するので、タンポンが露出する。その後に、外筒と内筒と案内部材とを膣から取り除くと、タンポンが使用状態になる。この過程では、吸水性の高いタンポンが膣壁を擦ることがなく、またタンポンの挿入深さはストッパー用フランジから外筒の第１前端部までの長さによって定まり、タンポンの挿入深さが浅すぎるという問題が生じない。それゆえ、この生理用タンポンでは、従来技術の生理用タンポンで生じた不快感を解消することができる。
【００１６】
案内部材の後壁に端部開口が形成されている態様のこの発明では、タンポンの取り出し紐がその後部開口から外へ延びるようにしておくことで、取り出し紐の全体が膣内に入ってしまい、挿入後のタンポンが取り出しにくくなるという問題を解消することができる。
【００１７】
案内部材の端壁と内筒の後端部とが互いに離脱可能に当接する態様のこの発明では、案内部材とその他の部材とが分離した状態の生理用タンポンを使用者に供給することが可能になる。
【００１８】
案内部材の端壁と内筒の後端部とが互いに離脱不能に接合されることによって当接している態様のこの発明では、生理用タンポンの使用に不慣れな使用者でも扱い易い生理用タンポンの供給が可能になる。
【００１９】
案内部材の円筒状部に二条の切り欠き部が形成され、それぞれの切り欠き部から指掛け用突起部が円筒状部の外にまで延びている態様のこの発明では、それぞれの突起部に指を掛けることによって、円筒状部の内側にある外筒をスムーズに摺動させることができる。
【００２０】
案内部材の円筒状部が第１円筒状部と第２円筒状部とに二分されていて、これら第１，第２円筒状部の間へ中間組立体を挿入することができる態様のこの発明では、中間組立体を従来技術と同様なアプリケータ付きの生理用タンポンとして使用することもできる生理用タンポンの供給が可能になる。
【００２１】
第１円筒状部と第２円筒状部を円筒状部に形成された切り欠き部を境界にして離間させることができる態様のこの発明では、円筒状部に第１，第２円筒状部を形成することが容易である。
【００２２】
この発明のその他の実施態様とそれによる効果とは、以下において説明する。
【発明を実施するための最良の形態】
【００２３】
添付の図面を参照して、この発明に係る生理用タンポンの詳細を説明すると、以下のとおりである。
【００２４】
図１は、生理用タンポン１の部分破断斜視図である。生理用タンポン１は、外筒２と、内筒３と、案内部材４とによって形成されたタンポンアプリケータ１０と、外筒２の内側に収納されたタンポン５とによって構成されている。外筒２は、前端部６と後端部７とを有し、前端部６の内側にタンポン５が収納されている。前端部６は、開放可能に閉じていて、その開放を可能にするための複数条のスリット８を有する。後端部７は、案内部材４の内側にあり、外筒２の径方向において対向する部位から径方向の外方へ延びる一対の指掛け用突起部１１を有する。その指掛け用突起部１１は、案内部材４の円筒状部４１に形成された切り欠き部４７を通って案内部材４の外にまで延びている。内筒３は、後記の図２において明らかなように、その前端部３１が外筒２の内側に納まり、後端部３２が外筒２から延出して案内部材４に納まっている。案内部材４は、円筒状部４１と、円筒状部４１の前端部４２に形成されたストッパー用フランジ４３と、後端部４４に形成された円盤状の端壁４６とを有する。円筒状部４１は、その径方向において対向する部位に一対の切り欠き部４７を有しているが、図１には、一対のうちの一方の切り欠き部４７のみが示されている。円筒状部４１の前端部４２には外筒２の後端部７が外筒２の長さ方向へ摺動可能に挿入される前部開口４８（図２参照）が形成されており、円筒状部４１の後端部４４における端壁４６にはタンポン５の取り出し紐５１を通すための後部開口４９が形成されている。
【００２５】
図２〜５は、生理用タンポン１の使用手順を示す図であって、これらの図には膣７０と膣壁７１と外陰部７２とが仮想線で示されている。図２は、図１のＩＩ−ＩＩ線断面図であり、この図における生理用タンポン１は、端壁４６に当てた第３の指７７を使用することによって、案内部材４のフランジ４３が外陰部７２に接触するところまで外筒２が膣７０に挿入されている。かかる外筒２は、端壁４６が押されても、これ以上に深く挿入されることがない。その生理用タンポン１では、外筒２の挿入方向前方に位置する前端部６にタンポン５が収納されている。外筒２の後端部７は、案内部材４の前部開口４８から円筒状部４１の内側へ摺動可能に延びており、指掛け用突起部１１がフランジ４３よりも後方に位置していて、その指掛け用突起部１１とフランジ４３との間には仮想線で示す第１と第２の指７３，７４を挿入可能な間隙７６が形成されている。外筒２に挿入されている内筒３は、前端部３１がタンポン５の後端部分５２に図の左方から当接している。内筒３の後端部３２は、外筒２の後端部７から後方へ延出して、案内部材４における端壁４６の内面に図の右方から当接している。端壁４６の外面には、仮想線で示す第３の指７７が当てられる。内筒３の内側では、タンポン５の後端部分５２からの紐５１が延びていて、端壁４６の外に出ている。その端壁４６は、第３の指を当てることが容易となるように、円筒状部４１の外径よりも大きな径を有している。図２において、外筒２の前端部６に示された仮想線６ａは、スリット８を有する前端部６が開放されたときの状態を示している。
【００２６】
図３の生理用タンポン１では、図２において端壁４６に当てた第３の指７７に力を加えてフランジ４３を外陰部７２に押し当てる。一方、第１，第２の指７３，７４を指掛け用突起部１１に当てて、外筒２を矢印Ａで示す膣の外側に向かう方向へ移動させる。このときのタンポン５は、その後端部分５２に内筒３の前端部３１が図の左方から当接しており、その内筒３は後端部３２が案内部材４の端壁４６の内面に図の右方から当接しているから、内筒３と案内部材４とに対して静止した状態にある。したがって、矢印Ａ方向へ移動する外筒２では、スリット８（図１参照）を有する前端部６が、その内側からタンポン５の前端部分５０によって押圧されることによって、図２における仮想線６ａの如くに変形して開放状態となり、膣７０の中ではタンポン５がその静止した位置において徐々に露出する。
【００２７】
図４の生理用タンポン１では、図３に示した外筒２が矢印Ａ方向へさらに移動して、外筒２の指掛け用突起部１１が案内部材４の端壁４６に接触して停止しており、タンポン５の全体が露出している。換言すると、膣７０の中ではタンポン５とアプリケータ１０とが分離した状態にあって、紐５１のみがアプリケータ１０の内側に残っている。
【００２８】
図５では、アプリケータ１０が膣７０から抜き取られ、タンポン５が膣７０の中にとどまっている。ただし、タンポン５の取り出し紐５１は膣７０の外にまで延びている。
【００２９】
図示例の生理用タンポン１において、アプリケータ１０の各部材はポリエチレン、ポリプロピレン、ナイロン、ポリエステル等の熱可塑性合成樹脂や紙等によって作ることができる。ただし、アプリケータ１０のうちでも外筒２は、非吸水性であってかつ膣壁７１に対して滑りのよい熱可塑性合成樹脂で作ることが好ましい。タンポン５は、慣用の材料によって作ることができる。
【００３０】
このように形成されている生理用タンポン１では、それを使用するときに、膣壁７１に対する滑りがよくて非吸水性である材料で形成された外筒２を膣７０へ挿入すればよく、吸水性のよいタンポン５をそれが露出した状態で膣７０へ挿入してタンポン５で膣壁７１を強く擦るということがないから、従来の生理用タンポンの場合に経験された不快感が生じない。また、膣７０に対するタンポン５の挿入深さは、案内部材４のフランジ４３を外陰部７２に接触させることによって一義的に決まるから、従来技術のように膣内においてアプリケータから露出し始めたタンポンと膣壁との摩擦力の影響により、タンポンが所要の深さにまで挿入されないという問題も発生しない。
【００３１】
この発明において、外筒２の指掛け用突起部１１が外筒２の径方向における両側それぞれに形成されることによって、案内部材４の内側における外筒２の摺動をスムーズなものにし易い場合があるのであるが、突起部を一つだけにするとともに、案内部材４の切り欠き部４７を一条だけにしてこの発明を実施することも可能である。また、タンポン５における取り出し紐５１は、それが案内部材４の端壁４６から延出することなく、内筒３の長さ方向へ延びているだけのものであってもよい。その場合の端壁４６では、後部開口４９が不要になる。例えば、取り出し紐５１の外径と内筒３の内径との寸法差が、内筒３の内側においての取り出し紐５１の自由な折れ曲りを拘束できる程度に小さい場合には、取り出し紐５１が真直ぐに延びた状態を維持し易いので、生理用タンポン１にとって取り出し紐５１が端壁４６から延出することは必ずしも必要ではない。
【００３２】
図６，７，８において、図６は、この発明の一実施態様を示す生理用タンポン１の斜視図であり、図７，８は、その生理用タンポン１を組立てるのに必要な手順を示す図である。図６の生理用タンポン１は、図１のそれと同じ形状を有するものであるが、案内部材４における端壁４６が、図示の分割線８１の上方と下方とに位置する上方端壁４６ａと下方端壁４６ｂとに二分されている。また、円筒状部４１が切り欠き部４７によって上方円筒状部４１ａと下方円筒状部４１ｂとに二分されていて、これら両部４１ａ，４１ｂが円筒状部４１の径方向において対向している。
【００３３】
図７，８に示された生理用タンポン１は、外筒２と内筒３とタンポン５とからなる中間組立体８２と、中間組立体８２とは別体に用意されている案内部材４とによって構成されている。図７の案内部材４は、熱可塑性合成樹脂で形成されており、円筒状部４１の前端部４２とつながるフランジ４３を分割線８１と平行な図６に示した仮想線８３に沿って折曲し、分割線８１で分割されている上方端壁４６ａと下方端壁４６ｂとを、これらと一体を成す上方円筒状部４１ａと下方円筒状部４１ｂとともに、矢印Ｃ，Ｄで示す上下方向に拡開させる。前端部４２を基端としてこのように拡開した案内部材４に対しては、外筒２が前方となるようにして中間組立体８２を矢印Ｂ方向から挿入する。
【００３４】
図８では、外筒２の指掛け用突起部１１が案内部材４における切り欠き部４７の前端４７ａに当接するところまで外筒２を案内部材４へ挿入した後に、上方端壁４６ａと下方端壁４６ｂとを矢印Ｃ，Ｄとは反対の方向へ移動させて、図６の分割線８１が形成されるように互いに接触させる。接触させた上方端壁４６ａと下方端壁４６ｂとは、分割線８１に沿って接着することによって一体化させたり、図示してはいないが互いの形状をスナップ係合するように作っておくことによって一体化させたりして、生理用タンポン１の組立が終了する。
【００３５】
図６〜８に例示の生理用タンポン１は、図６の如く全ての部材が組み付けられた状態で梱包して使用者に供給するという形態を取ることができる他に、図７の如く中間組立体８２と案内部材４とを別体にして使用者に供給するという形態を取ることもできる。この後者の形態の場合には、生理用タンポンの包装品がコンパクトなものになり得るという効果が得られる他に、案内部材４が不要である使用者にとっては、中間組立体８２を従来技術と同様なアプリケータ付きの生理用タンポンとして使用することができるという効果も得られる。
【００３６】
図９は、実施態様の一例を示す生理用タンポン１の側面図である。この生理用タンポン１では、案内部材４におけるフランジ４３と端壁４６とが互いに平行で、かつ直状の外筒２および円筒状部４１と斜めに交差するように作られている。案内部材４の形状をこのようにすることによって、図１の生理用タンポン１の操作性を変化させることができる。図において、外筒２における指掛け用突起部１１の指当て面は、図１のそれと同じように、直状の円筒状部４１と直交するように延びているが、その指当て面をフランジ４３に平行するように変化させることも可能である。
【００３７】
図１０もまた、実施態様の一例を示す生理用タンポン１の側面図である。この生理用タンポン１では、外筒２の膣７０への挿入を容易にするために、外筒２と、内筒３（図示せず）と、案内部材４の円筒状部４１とがこれらの長さ方向において湾曲させてある。
【産業上の利用可能性】
【００３８】
この発明によれば、使用するときに不快感のない生理用タンポンの製造が可能になる。
【図面の簡単な説明】
【００３９】
【図１】生理用タンポンの部分破断斜視図。
【図２】図１のＩＩ−ＩＩ線断面図。
【図３】生理用タンポンの着用手順を示す図。
【図４】生理用タンポンの着用手順を示す図。
【図５】生理用タンポンの着用手順を示す図。
【図６】この発明の実施態様の一例を示す図。
【図７】中間組立体と案内部材との組み付け手順を示す図。
【図８】中間組立体と案内部材との組み付け手順を示す図。
【図９】この発明の実施態様の一例を示す生理用タンポンの側面図。
【図１０】この発明の実施態様の一例を示す生理用タンポンの側面図。
【符号の説明】
【００４０】
１    生理用タンポン
２    外筒
３    内筒
４    案内部材
５    タンポン
６    第１前端部（外筒の前端部）
７    第１後端部（外筒の後端部）
１０    アプリケータ
１１    指掛け用突起部
３１    第２前端部（内筒の前端部）
３２    第２後端部（内筒の後端部）
４１    円筒状部
４１ａ    第１円筒状部（上方円筒状部）
４１ｂ    第２円筒状部（下方円筒状部）
４２    第３前端部
４３    フランジ
４４    第３後端部
４６    端壁
４６ａ    上方端壁
４６ｂ    下方端壁
４７    切り欠き部
４８    前部開口
４９    後部開口
５０    前端部分
５１    取り出し紐
５２    後端部分
５４    タンポン
８２    中間組立体
【図１】
2008178531.tif 000003
【図２】
2008178531.tif 000004
【図３】
2008178531.tif 000005
【図４】
2008178531.tif 000006
【図５】
2008178531.tif 000007
【図６】
2008178531.tif 000008
【図７】
2008178531.tif 000009
【図８】
2008178531.tif 000010
【図９】
2008178531.tif 000011
【図１０】
2008178531.tif 000012